(57)【特許請求の範囲】
【請求項１】
本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係止部（１０）と案内部（１１）とよりなるカム部を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、また、前記押圧体（６）の外周面の縦方向に外周壁（７ａ）を立設し、その外周壁（７ａ）の前記カム部（８）に向かい合う側面に前記カム部（８）と係合可能な凸状に形成された係合部（１４）を設け、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを特徴とする出没式筆記具。
【請求項２】
本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係合部（１４）を設け、また、前記押圧体（６）の外周面の縦方向に外周壁（７ａ）を立設し、その外周壁（７ａ）の前記係合部（１４）に向かい合う側面に前記係合部（１４）と係合可能な凸状に形成された係止部（１０）と案内部（１１）とよりなるカム部（８）を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを特徴とする出没式筆記具。
【発明の詳細な説明】
【０００１】
【発明の属する技術分野】
本発明は、本体の内部に筆記体を移動可能に配置した出没式筆記具に関し、特に押圧体の押圧操作によって筆記体の出没の係止・解除を行う機構に関する。
【０００２】
【従来の技術】
一例として、特開平９−９９６９１号公報がある。その公報の特許請求範囲には、「先端に筆記部を有するリフィールとそれを後方へ付勢するスプリング６とリフィールと連動可能に遊嵌されて軸筒１の後端より突出するノック部５を有し、ノック部５を押圧してリフィールを軸筒１の前部から突出させて突出状態を保持し、さらにノック部５を押圧することで係止が解除されてリフィールを収納する様な所謂ダブルノック機構を有するノック式筆記具に於いて、クリップ筒２の係止玉２−ａと軸内部でノック部５と連動する係止リブ３−ａとが係止することでリフィールの筆記部の突出状態を保持して係止玉２−ａが持ち上げられるとリフィールが収納されるセーフテイー機構を構成し、突出させる場合のノック部５のノックカム５−ａと回転子３のノック受けカム３−ｃによる回転方向と収納させる場合の回転子３のノック受けカム３−ｂとクリップ筒２のカム２−ｃによる回転方向のどちらも同一方向となして係子リブ３−ａを一体に有する回転子３をノックの繰り返しによって、所定の角度で同一方向へ回転するよう構成したことを特徴とするノック式筆記具。」と記載されている。つまり、軸筒内に複数の部材よりなる一方向回転カム機構を配置しノック部の押圧を繰り返すことで、リフィールの出没の係止・解除を行っている。
【０００３】
【発明が解決しようとする課題】
しかし、上記のような従来技術にあっては、押圧体の押圧操作によって筆記体の出没の係止・解除を行う機構になっているものの、出没の係止・解除のための機構が複雑で、部品点数も多く組立もやっかいでコスト高になるばかりでなく、その機構を軸筒内後部に組み込んでなるので、その分、軸筒長さを長くしなければならないという問題があった。
【０００４】
【課題を解決するための手段】
本発明は、上記問題点に鑑みてなされたものであり、本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係止部（１０）と案内部（１１）とよりなるカム部を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、また、前記押圧体（６）の外周面の縦方向に外周壁（７ａ）を立設し、その外周壁（７ａ）の前記カム部（８）に向かい合う側面に前記カム部（８）と係合可能な凸状に形成された係合部（１４）を設け、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを第１の要旨とし、本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係合部（１４）を設け、また、前記押圧体（６）の外周面の縦方向に外周壁（７ａ）を立設し、その外周壁（７ａ）の前記係合部（１４）に向かい合う側面に前記係合部（１４）と係合可能な凸状に形成された係止部（１０）と案内部（１１）とよりなるカム部（８）を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを第２の要旨とするものである。
【０００５】
【実施例】
図１乃至図５に第１例を示し説明する。軸筒１の前方には、前軸２が螺着などにより着脱自在に取り付けられている（以下、図中上方を後方といい、下方を前方という）。前記前軸２には軟質の樹脂やゴム材などよりなる把持部材３が固着されており、また、前記前軸２の内側にはコイルスプリングなどの弾撥部材４がその前端を前軸２の内孔に狭持されて取り付けられている。前記軸筒１の内側には、ボールペンや修正具などの筆記体のリフィール５が前記弾撥部材４によって後方に付勢され且つ前後動自在に配置されている。軸筒１の後端部には、クリップ１２が圧入などにより固定されている。また、軸筒１の後方には、押圧体６が前後動自在に取り付けされている。軸筒１の後部には縦溝１ａが形成され、前記押圧体６の筒部７の外周面には壁部７ａが形成されており、この壁部７ａが前記縦溝１ａに前後動自在に、且つ、回り止めを施されて嵌入している。また、前記筒部７には軸筒１の内側に配置されたリフィール５が嵌入している。尚、押圧体６はその段部６ａが前記クリップ１２の内段部１２ａに当接して後方への抜けを阻止されている。
符号７ｂは前記筒部７の前方に形成した割溝であり、壁部７ａを有する押圧体６を、筒部７のこの割溝７ｂの部分を変形縮小せしめて、軸筒１に後方より取り付けることができる。
【０００６】
前記クリップ１２の壁状玉部１３には凸状カム部８が設けられている。図３に基づきそのカム部８について説明する。カム部８は、前記クリップ１２に縦に立設された壁状玉部１３とその壁状玉部１３の側面（図示手前側）に凸状に形成された係止部１０と案内部１１とよりなり、前記係止部１０の図中上部は左下方に傾斜した斜面１０ａとなっており、係止部１０の下部には逆Ｖ字形の凹み１０ｂが形成されている。また、前記案内部１１の図中上部左側には右上方に向かう斜面１１ａと、上部右側には右下方に傾斜した斜面１１ｂが形成されている。符号１１ｃは壁状玉部１３に形成された三角平面状の小斜面であり、また、その小斜面１１ｃの図中右方終端に形成した壁面は前記案内部１１の斜面１１ｂに連接している。この小斜面１１ｃの作用については後述する。
【０００７】
前記押圧体６の筒部７の壁部７ａの側面向こう側（図示奥側）には凸状に形成された係合部１４を有している。尚、前記クリップ１２は弾性を有し図中左右に弾撥可能であるが、常態は壁状玉部１３の図中右端が軸筒１の外周面の位置になるよう配設されている。また、本例では、クリップ１２の前端部が軸筒１に形成された縦溝１ａを覆う位置にまで延びて形成されている。
【０００８】
次に、動作を説明する。図３の状態より、押圧体６を押圧すると、前記筒部７の壁部７ａ側面向こう側（図示奥側）に凸状に形成された係合部１４が前方（図中下方）に移動する。更に押圧すると、係合部１４の図中下端が係止部１０の斜面１０ａに当接する。押圧を続けると、係合部１４の前方移動に伴いクリップ１２の壁状玉部１３が図中右方に変位せしめられるので、係止部１０の図中左方に係合部１４が位置するようになる。更に押圧を続けると、係合部１４の下端が案内部１１の斜面１１ａに当接するので、押圧体６はその前進を停止せしめられる。ここで押圧体６の押圧を解除すると、前記クリップ１２が、常態は、壁状玉部１３が軸筒１の外周面の位置になるよう配設されているので、弾性復元力により壁状玉部１３が図中左方に復動し、この復動に伴い係合部１４が斜面１１ａに沿って係止部１０の方向（図中右上方）へ移動する。次いで、係合部１４の上端が前記係止部１０の凹み１０ｂに当接して係合部１４が係止部１０に係止せしめられる。尚、前記押圧体６の筒部７にリフィール５が嵌入しているので、上記動作によってリフィール５が前軸２の先端より露出し、その状態で係止せしめられる（図５参照）。
【０００９】
前記の係止の状態を解除するためには、押圧体６を再び押圧すると、係合部１４が前記凹み１０ｂを離脱する。この時、係合部１４が係止部１０の図中左方へ逆戻りしてしまわないよう、前述の小斜面１１ｃが、その図中右方終端に形成した壁面で係合部１４を戻り防止規制する。更に押圧すると、係合部１４の下端が斜面１１ｂに当接し、クリップ１２の壁状玉部１３が図中左方に変位せしめられて、係合部１４は壁状玉部１３の図中右端面に達する。ここで押圧体６の押圧を解除すると、係合部１４はその左端の一部・図示奥側が、クリップ１２の横方向の弾性復元力により図示手前側に復動した壁状玉部１３の図中右端面に落着当接しているので、凹み１０ｂに逆戻りすることなく、係止部１０の右方を移動して初期状態に復帰せしめられるとともに、この係合部１４の後退に伴い、リフィール５も前軸２内に没入する。
【００１０】
また、本発明では、リフィール５が前軸２の先端より露出して係止状態のまま筆記具をポケット等に差し込もうとすれば、クリップ１２が軸筒１外周面より持ち上げられる。この動作によって係合部１４が係止部１０より外れ、初期状態に復帰せしめられるとともに、リフィール５も前軸２内に没入する。万が一、係止を解除し忘れた時においても、リフィルを没入させることができる。
【００１１】
図６乃至図９に第２例を示し説明する。前記例と同じ部分については説明を省略する。  本例では、押圧体６の筒部７の外周面に凸状カム部８が設けられている。図６に基づきそのカム部８について説明する。カム部８は、筒部７外周面に縦に立設された壁部７ａとその壁部７ａの側面（図示手前側）に凸状に形成された係止部１０と案内部１１とよりなり、前記係止部１０の図中下部は左下方に傾斜した斜面１０ａとなっており、上部にはＶ字形の凹み１０ｂが形成されている。また、前記案内部１１の図中下部右側には左下方に向かう斜面１１ａと、下部左側には左上方に向かう斜面１１ｂが形成されている。符号１１ｃは壁部７ａに形成された小斜面である。また、クリップ１２の下部には壁状玉部１３が縦に立設され、その壁状玉部１３の側面向こう側（図示奥側）には凸状に形成された係合部１４を有している。
【００１２】
次に、動作を説明する。図６の状態より押圧体６を押圧すると、前記筒部７の壁部７ａ側面に形成された凸状カム部８が前方（図中下方）に移動する。更に押圧すると、係止部１０の斜面１０ａが前記係合部１４の上端に当接する。押圧を続けると、凸状カム部８の係止部１０の前方移動に伴いクリップ１２の係合部１４が図中右方に変位せしめられるので、係止部１０の図中右方に係合部１４が位置するようになる。更に押圧を続けると、係合部１４の上端に凸状カム部８の案内部１１の斜面１１ａが当接するので、押圧体６はその前進を停止せしめられる。ここで押圧体６の押圧を解除すると、前記クリップ１２が、常態は、壁状玉部１３が軸筒１の外周面の位置になるよう配設されているので、弾性復元力により壁状玉部１３が図中左方に復動する。これに伴って係止部１０が復動し、係合部１４の下端に前記係止部１０の凹み１０ｂが当接して係止せしめられる。尚、前記押圧体６の筒部７にリフィール５が嵌入しているので、上記動作によってリフィール５が前軸２の先端より露出し、その状態で係止せしめられる（図９参照）。
【００１３】
前記の係止の状態を解除するためには、押圧体６を再び押圧すると、係合部１４から前記凹み１０ｂが離脱する。更に押圧すると、係止部１０が係合部１４の右方を移動して凸状カム部８が初期状態に復帰せしめられる。
尚、本例によれば、第１例と比較してクリップ１２の壁状玉部１３の形状をより小さくできる。
【００１４】
【発明の効果】
本発明は、本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係止部（１０）と案内部（１１）とよりなるカム部を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、また、前記押圧体（６）の外周面の縦方向に外周壁（７ａ）を立設し、その外周壁（７ａ）の前記カム部（８）に向かい合う側面に前記カム部（８）と係合可能な凸状に形成された係合部（１４）を設け、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを第１の要旨とし、本体の内部に筆記体を摺動可能に配置し、その筆記体を本体に設けた押圧体（６）の押圧操作によって移動可能に配置した出没式筆記具であって、前記本体の軸筒（１）の外方にクリップ部（１２）を配設し、このクリップ部（１２）の縦方向に壁状玉部（１３）を立設し、その壁状玉部（１３）の一方の側面に凸状に形成された係合部（１４）を設け、また、前記押圧体（６）の外周面の縦方向に外周壁（７ａ）を立設し、その外周壁（７ａ）の前記係合部（１４）に向かい合う側面に前記係合部（１４）と係合可能な凸状に形成された係止部（１０）と案内部（１１）とよりなるカム部（８）を設け、前記係止部（１０）は斜面（１０ａ）と凹み（１０ｂ）とを備えてなると共に、案内部（１１）は斜面（１１ａ）と小斜面（１１ｃ）並びに、その小斜面（１１ｃ）の反対側に形成された斜面（１１ｂ）とを備えてなり、前記押圧体（６）を押圧した際に、係合部（１４）が壁状玉部（１３）を押圧体（６）の方向に変位せしめながら係止部（１０）の斜面（１０ａ）に沿って移動し、押圧を解除した際に、クリップ部（１２）の弾性復元力によって係合部（１４）が小斜面（１１ｃ）を乗り越えて係止部（１０）の凹み（１０ｂ）に係合し、さらに押圧体（６）を押圧した際に、係合部（１４）が小斜面（１１ｃ）の乗り越え反対側の斜面（１１ｂ）に沿ってカム部（８）から離脱するようなし、さらに、前記壁状玉部（１３）の前後の端部と外周壁（７ａ）の前後の端部に傾斜面を設けたことを第２の要旨としているので、出没の係止・解除のための機構が簡単で、部品点数も少なく組立も簡便で低コストになるばかりでなく、出没の係止・解除のための機構が軸筒内後部に組み込まれていない分だけ軸筒長さを短く出来るという利点をも有するものである。
【図面の簡単な説明】
【図１】  本発明を示す外観正面図。
【図２】  軸筒および押圧体を示す分解斜視図。
【図３】  図１の縦断面図。
【図４】  作動を説明する要部拡大図。
【図５】  係止状態を示す縦断面図。
【図６】  第２例を示す縦断面図。
【図７】  軸筒および押圧体を示す分解斜視図。
【図８】  作動を説明する要部拡大図。
【図９】  係止状態を示す縦断面図。
【符号の説明】
１      軸筒
１ａ    縦溝
２      前軸
３      把持部材
４      弾撥部材
５      リフィール
６      押圧体
６ａ    段部
７      筒部
７ａ    壁部
７ｂ    割溝
７ｃ    割溝
８      凸状カム部
９      壁部
１０    係止部
１０ａ  斜面
１０ｂ  凹み
１１    案内部
１１ａ  斜面
１１ｂ  斜面
１１ｃ  小斜面
１２    クリップ
１２ａ  内段部
１３    壁状玉部
１４    係合部
【図１】
0004135836.tif 000002
【図２】
0004135836.tif 000003
【図３】
0004135836.tif 000004
【図４】
0004135836.tif 000005
【図５】
0004135836.tif 000006
【図６】
0004135836.tif 000007
【図７】
0004135836.tif 000008
【図８】
0004135836.tif 000009
【図９】
0004135836.tif 000010